(57)【要約】【課題】プロジェクタ装置の排気風を人に当たらない方向へと排気し、周囲で快適に作業可能なプロジェクタ装置を提供することを目的とする。【解決手段】プロジェクタ装置本体１０の排気口１６の外側に、排気風１５の風向変更部１８を具備したダクト１７を配置したものである。これにより、排気風１５が周囲の人に当たる場合に、排気風１５の風向を変化させることが可能となり、周囲で快適に作業可能なプロジェクタ装置とすることができる。【選択図】図１
2006184407.tif 000002
【特許請求の範囲】
【請求項１】
映像を拡大投影する光学ユニットを有したプロジェクタ装置において、前記装置内部に冷却風を流す電動送風機と、前記冷却風を前記装置内部へ吸気する吸引口と、前記冷却風を前記装置外部へ排気するための排気口と、前記排気口の外側に配置され風の流入口と流出口の間に風向変更部を具備したダクトを有し、排気風を人に当たらない方向へと排気するプロジェクタ装置。
【請求項２】
ダクトは、プロジェクタ装置本体に着脱自在な構成とした請求項１に記載のプロジェクタ装置。
【請求項３】
風向変更部が可動であり、排気風の風向を任意に変更可能な構成とした請求項１または２に記載のプロジェクタ装置。
【請求項４】
風向変更部は、駆動装置により動作される構成とした請求項３に記載のプロジェクタ装置。
【請求項５】
ダクトを折りたたみが可能な構成とした請求項１〜４のいずれか１項に記載のプロジェクタ装置。
【請求項６】
ダクトを、折りたたまれた状態でプロジェクタ装置内部に収納可能な構成とした請求項５に記載のプロジェクタ装置。
【請求項７】
ダクトを、折りたたまれた状態から伸延するための伸延装置を有した請求項５または６に記載のプロジェクタ装置。
【請求項８】
伸延装置を、排気風を利用して動作させる構成とした請求項７に記載のプロジェクタ装置。
【請求項９】
ダクト内部の風路の断面積を排気口の面積よりも大きな構成とした請求項１〜８のいずれか１項に記載のプロジェクタ装置。
【請求項１０】
ダクトに、消音手段を配した請求項１〜９のいずれか１項に記載のプロジェクタ装置。
【請求項１１】
ダクトに、電動送風機を配した請求項１〜１０のいずれか１項に記載のプロジェクタ装置。
【請求項１２】
ダクトに、排気風冷却手段を配した請求項１〜１１のいずれか１項に記載のプロジェクタ装置。
【発明の詳細な説明】
【技術分野】
【０００１】
本発明は、映像を拡大投影する光学ユニットを内包し、冷却風により装置内部の冷却を行い、冷却風を外部へ排気するプロジェクタ装置に関するものである。
【背景技術】
【０００２】
従来、この種のプロジェクタ装置としては、人に排気風が当たらない様に冷却風の排気口を人の少ない前方に排気する構成としているものがあった（例えば、特許文献１参照）。
【０００３】
図１１には前記特許文献１に記載された従来のプロジェクタ装置を示すものである。図１１に示すように、プロジェクタ装置本体１と、映像を拡大投影する光学ユニット２と、前記装置内部を冷却するため冷却風３を流す電動送風機４と、前記冷却風３を前記装置内部へ吸気する吸気口５と、前記冷却風４を排気風６として前記装置外部へ排気するための排気口７から構成されている。
【特許文献１】特開平１１−３５４９６３号公報
【発明の開示】
【発明が解決しようとする課題】
【０００４】
しかしながら、前記従来の構成では、排気風６の風向を前方以外の方向に変更することが容易ではないため、前方に人がいた場合や物があった場合に排気風６が前方の人や物に当たるという課題を有していた。
【０００５】
また、冷却風の風路の変更が容易ではないため、前方以外の方向に人がいない場合や装置と人の距離が離れておりどの向きでも排気風６が人に当たらない場合でも、冷却風４を前方へ排気するため装置内部に配置された抵抗の大きな風路を通す必要があるという課題を有していた。
【０００６】
本発明は、前記従来の課題を解決するもので、冷却風に対する抵抗が少ない簡易な手段で操作者が排気風の風向を変更可能にし、排気風が人に当たらず周囲で快適に作業可能なプロジェクタ装置を提供することである。
【課題を解決するための手段】
【０００７】
前記従来の課題を解決するために、本発明のプロジェクタ装置は排気口の外側に風向変更部を具備したダクトを配置したものである。
【０００８】
このダクトにより、排気風が人に当たらない構成とすることを目的とする。
【発明の効果】
【０００９】
本発明のプロジェクタ装置は、排気風の風向を変更できる構成とすることによって、排気風を人に当たらない方向へ排気でき、周囲で快適に作業を行うことができる。
【発明を実施するための最良の形態】
【００１０】
第１の発明は、映像を拡大投影する光学ユニットを有したプロジェクタ装置において、前記装置内部に冷却風を流す電動送風機と、前記冷却風を前記装置内部へ吸気する吸引口と、前記冷却風を前記装置外部へ排気するための排気口とを有し、前記排気口の外側に風の流入口と流出口の間に風向変更部を具備したダクトを配置することにより、簡易な構成で排気風の風向を変更可能な構成とする。これによって、排気風を人に当たらない方向へ排気でき、周囲で快適に作業を行うことができる。
【００１１】
第２の発明は、特に、第１の発明のダクトを、プロジェクタ装置本体に着脱自在な構成とすることにより、周囲にいる人の位置に応じて排気風の風向や排気位置の異なるダクトを使用することができ、不要時には取り外しも可能となるため、周囲の状況に即してより様々に排気風の風向や排気位置を変更することができる。
【００１２】
第３の発明は、特に、第１または第２の発明の風向変更部が可動であり、排気風の風向を任意に変更可能な構成とすることにより、人のいない方向へ排気風の風向を設定することが容易になり、周囲でより快適に作業を行うことができる。
【００１３】
第４の発明は、特に、第３の発明の風向変更部が、駆動装置により動作される構成とすることにより、風向変更部を操作者が直接手で動作させる必要がなくなり、使い勝手を向上させることができる。
【００１４】
第５の発明は、特に、第１〜第４のいずれか１つの発明のダクトを、折りたたみが可能な構成とすることにより、ダクトの不要時にプロジェクタ装置全体の大きさをより小さくでき、使い勝手を向上させることができる。
【００１５】
第６の発明は、特に、第５の発明のダクトを、折りたたまれた状態でプロジェクタ装置内部に収納可能な構成とすることにより、ダクトの不要時にプロジェクタ装置全体の大きさをより小さくでき、使い勝手を向上させることができる。
【００１６】
第７の発明は、特に、第５または第６の発明のダクトを、折りたたまれた状態から伸延するための伸延装置を有することにより、ダクトを操作者が直接手で伸延させる必要が無くなり、使い勝手を向上させることができる。
【００１７】
第８の発明は、特に、第７の発明の伸延装置を、排気風を利用して動作させる構成とすることにより、駆動力を発生させるための装置が不要となり、ダクトをより軽量で小さく構成することができる。
【００１８】
第９の発明は、特に、第１〜第８のいずれか１つの発明のダクト内部の風路の断面積を排気口の面積よりも大きな構成とすることにより、ダクトの配置による排気風への抵抗の増加が小さくなり、排気風が流れにくくなることでプロジェクタ装置の排熱能力が低下すること無く排気風の風向を変更できる。
【００１９】
第１０の発明は、特に、第１〜第９のいずれか１つの発明のダクトに、消音手段を配することにより、排気風の風向を設定すると同時に排気風と共にプロジェクタ装置から出る騒音を小さくすることが可能となり、周囲でより快適に作業を行うことができる。
【００２０】
第１１の発明は、特に、第１〜第１０のいずれか１つの発明のダクトに、電動送風機を配することにより、より排気風を多く流すことが可能になり、ダクトを設置することで排気風が流れにくくなりプロジェクタ装置の排熱能力が低下すること無く排気風の風向を変更できる。
【００２１】
第１２の発明は、特に、第１〜第１１のいずれか１つの発明のダクトに、排気風冷却手段を配することにより、排気風による排熱がより効率良く行えるようになり、排気風をより少なくすることができる。
【００２２】
以下、本発明の実施の形態について、図面を参照しながら説明する。なお、本実施の形態によって本発明が限定されるものではない。
【００２３】
（実施の形態１）
図１は本発明の第１の実施の形態におけるプロジェクタ装置の全体構成図を示すものである。
【００２４】
図１に示すように、プロジェクタ装置本体１０と、映像を拡大投影する光学ユニット１１と、プロジェクタ装置本体１０の内部を冷却するため冷却風１２を流す電動送風機１３と、前記冷却風１２をプロジェクタ装置１０の内部へ吸気する吸気口１４と、冷却風１２を排気風１５としてプロジェクタ装置本体１０の外部へ排気するための排気口１６が設けられている。
【００２５】
排気口１６の外側にはダクト１７が設けられている。ダクト１７は風向変更部１８を有しており、風向変更部１８はダクト１７内部の風路が曲がり排気風１５の流入口１９と流出口２０の方向が異なることで排気風１５の風向が変更される構成となっている。
【００２６】
ダクト１７には排気口１６に着脱可能な着脱装置２１が設けられている。また、ダクト１７内部の風路の断面積は排気口１６よりも大きい。
【００２７】
以上のように構成されたプロジェクタ装置について、以下その動作、作用を説明する。
【００２８】
プロジェクタ装置を起動すると光学ユニット１１によって映像が拡大投影される。動作に伴いプロジェクタ装置本体１０の内部の温度が上昇することを防ぐため、電動送風機１３により、プロジェクタ装置本体１０の内部を冷却風１２が流される。冷却風１２は吸気口１４からプロジェクタ装置本体１０の内部へ吸気されプロジェクタ装置本体１０の内部を冷却した後、排気風１５として排気口１６から排気される。
【００２９】
ダクト１７が無い状態で、排気風１５が人や物に当たるなど風向を変化させたい場合に、ダクト１７を着脱手段２１によって排気口１６に取り付ける。
【００３０】
排気口１６から排気された排気風１５はプロジェクタ装置本体１０にとりつけられたダクト１７の内部へ入る。排気風１５はダクト１７内部の風路に沿って流れる。ダクト１７内部の風路の断面積は排気口１６の断面積より大きいため、小さい抵抗で排気風１５を流すことができる。風向変更部１９でダクト１７内部の風路は曲がっており、排気風１５はダクト１７内部の風路に沿って流れるため、流入口１９とは向きの異なる流出口２０へ向う流れとなり、排気風１５の風向が変化する。
【００３１】
プロジェクタ装置を停止すると、ダクト１７は不要となるため、プロジェクタ装置本体１０より取り外される。
【００３２】
これらにより、排気口１６から排気される排気風１５の風向が変更可能となり、排気風を人に当たらない方向へ排気することが可能となり、周囲で快適に作業を行うことができる。
【００３３】
なお、本実施の形態において、着脱手段２１によりダクト１７は排気口１６に取り付けられているが、プロジェクタ装置本体１０に取り付け可能な構成としてもかまわない。
【００３４】
なお、本実施の形態において、着脱手段２１はダクト１７の着脱方向を変化することができない構成となっているが、流出口２０の方向が異なるように異なる向きでダクト１７を取り付け可能な構成とし、排気風１５の方向を変えてもかまわない。
【００３５】
なお、本実施の形態において、風向変更部１８はダクト１７を曲げることで構成したが、図２に示した、ダクト１７の他の構成例の断面図のように、ダクト１７内部の風路に風向変更板２２を配置し、排気風１５の風向を変化させる構成としてもかまわない。
【００３６】
（実施の形態２）
図３は本発明の第２の実施の形態におけるプロジェクタ装置のダクト１７の断面図を示すものである。
【００３７】
なお、ダクト１７以外の構成は第１の実施の形態と同様であるので、その詳細な説明を省略するものである。
【００３８】
図３において、ダクト１７は風向変更部１８を有しており、風向変更部１８はダクト１７内部の風路が曲がり排気風１５の流入口１９と流出口２０の方向が異なることで排気風１５の風向が変更される構成となっている。また、風向変更部１８は回転機構２５を有している。回転機構２５では流入口側ダクト１７Ａと流出側ダクト１７Ｂが接続されており、流出側ダクト１７Ｂは流入側ダクト１７Ａを軸にして回転可能となっている。また、回転機構２５には駆動装置２６が配置されている。
【００３９】
以上のように構成されたプロジェクタ装置について、以下その動作、作用を説明する。
【００４０】
プロジェクタ装置を起動すると、排気風１５が排気口１６から排気される。排気風１５は風向変更部１８の曲がった風路に沿って流れ風向が変化する。
【００４１】
風向を変化した後も排気風１５が人に当たり、さらに風向を変化させたい場合に駆動装置２６を動作させる。駆動装置２６が動作することにより、回転機構２５において流出側ダクト１７Ｂが流入側ダクト１７Ａを軸にして回転し、流出口２０の方向が変化する。排気風１５はダクト１７の風路に沿って流れ流出口２０へと流れるため、流出口２０の方向が変化することで、排気風１５の風向も変化する。
【００４２】
これらにより、排気口１６から排気される排気風１５の風向が任意に設定可能となり、排気風を人に当たらない方向へ排気することが可能となり、周囲で快適に作業を行うことができる。また、風向変更部１８を動作させる駆動装置２６により、手で風向を調整する必要がなくなり、使い勝手を向上することができる。
【００４３】
なお、本実施の形態において、風向変更部１８はダクト１７内部の風路が曲がり回転機構２５を有する構成としたが、図４に示したダクト１７の他の構成例の断面図のように、ダクト１７を曲げず流入口側ダクト１７Ｃと流出側ダクト１７Ｄを、球形状と球形状を接続するあるいは円筒形状と円筒形状を接続した関節機構２７によって構成し、関節機構２７を曲げることで内部の風路に沿って流れる排気風１５の方向を変化させてもかまわない。
【００４４】
（実施の形態３）
図５（ａ）は本発明の第３の実施の形態におけるプロジェクタ装置のダクト１７の断面図を示すものである。また、図５（ｂ）は、同、ダクト１７収納時のダクト１７の断面図を示すものである。
【００４５】
なお、ダクト１７以外の構成は第１の実施の形態と同様であるので、その詳細な説明を省略するものである。
【００４６】
図５において、ダクト１７は風向変更部１８が蛇腹状に構成されており、任意に曲げることが可能で、かつ折りたたみが可能な構成となっている。プロジェクタ装置本体１０には、ダクト１７が収納される収納部２９が設置されている。
【００４７】
以上のように構成されたプロジェクタ装置について、以下その動作、作用を説明する。
【００４８】
プロジェクタ装置を起動すると、排気風１５が排気口１６から排気される。ダクト１７が折りたたまれ収納部２９に収納された状態で、排気風１５が人に当たり風向を変化させたい場合に、ダクト１７を収納部２９より引き出し、蛇腹状の風向変更部１８を伸延させ、さらに排気風１５の流入口１９と流出口２０の方向が異なるようダクト１７内部の風路を曲げて風向変更部１８を構成する。排気風１６はダクト１７の内部を流れ、風向変更部１８である曲げられた風路に沿って流れるため、風向が変化する。
【００４９】
プロジェクタ装置を停止すると、ダクト１７は不要となるため、蛇腹状の風向変更部１８を折りたたみ、再び収納部２９へと収納される。
【００５０】
これらにより、排気口１６から排気される排気風１５の風向が任意に設定可能となり、排気風を人に当たらない方向へ排気することが可能となり、周囲で快適に作業を行うことができる。また、ダクト１７が折りたたみ可能でプロジェクタ装置本体１０への収納が可能であるため、使い勝手を向上することができる。
【００５１】
なお、本実施の形態において、風向変更部１８は蛇腹上に構成したが、図６（ａ）に示した、ダクト１７の他の構成例の断面図と図６（ｂ）に示した、同、ダクト１７収納時のダクト１７の断面図のように、大きさが異なるいくつかのダクト１７を組み合わせ、指し棒のように各ダクト１７が他のダクト１７に収納されることで伸延する構成としてもかまわない。
【００５２】
また、本実施の形態において、このダクト１７が収納部２９に収納される構成に加えて、収納後に収納部２９の入口に蓋を取り付け、プロジェクタ装置が動作していない際に、ダクト１７が伸延してしまうことや排気口１６を通じ塵埃がプロジェクタ装置本体１０の内部に入ってしまう事を防ぐ構成としてもかまわない。
【００５３】
（実施の形態４）
図７は本発明の第４の実施の形態におけるプロジェクタ装置のダクト１７の断面図を示すものである。
【００５４】
なお、ダクト１７以外の構成は第１の実施の形態と同様であるので、その詳細な説明を省略するものである。
【００５５】
図７において、ダクト１７は風向変更部１８が蛇腹状に構成されており、任意に曲げることが可能で、かつ折りたたみが可能な構成となっている。ダクト１７は風向変更部１８を伸延するための伸延装置３２を有しており、伸延装置３２は排気風１５を風車の原理で駆動力を発生させる動力部３２Ａと、ダクト１７の出口に一端を取り付けられた糸３２Ｂと、糸３２Ｂのもう一端を取り付けられ動力部３２Ａと連動して糸を巻き取る糸巻き部３２Ｃから構成されている。動力部３２Ａと糸３２Ｂと糸巻き部３２Ｃは２組がダクト１７の風路の上下に配置されている。糸巻き部３２Ｃには排気風１５の力がかからない状況で糸３２Ｂを巻き取るようバネが設置されている。
【００５６】
以上のように構成されたプロジェクタ装置について、以下その動作、作用を説明する。
【００５７】
プロジェクタ装置を起動すると、排気風１５がダクト１７の内部へ入り、排気風１５により伸延装置３２が駆動される。動力部３２Ａが排気風１５によって動作し、それと連動して糸巻き部３２Ｃが巻き取っていた糸３２Ｂを緩める。これによって折りたたまれた状態から風向変更部１８が伸びる。また、糸巻き部３２Ｃが巻き取っていた糸３２Ｂを緩める際に上下の糸巻き部３２Ｃで異なる量だけ糸３２Ｂを緩めることでダクト１７内部の風路が曲がり風向変更部１８を構成し、流入口１９と流出口２０の方向が異なるため排気風１５の風向が変化する。
【００５８】
プロジェクタ装置が停止すると、糸巻き部３２Ｃのバネによって糸３２Ｂが巻き取られダクト１７は折りたたまれた状態になる。
【００５９】
これらにより、操作者が操作することなく排気口１６から排気される排気風１５の風向が変更可能となり、操作者が排気の風向を変更させるよう操作することなく周囲で快適に作業を行うことができる。
【００６０】
なお、本実施の形態において、動力部３２Ａと糸３２Ｂと糸巻き部３４Ｃはダクト１７の風路の上下に配置する構成となっているが、ダクト１７の風路の左右に配置してもかまわない。
【００６１】
なお、本実施の形態において、動力部３２Ａと糸３２Ｂと糸巻き部３２Ｃはダクト１７の風路の上下に２組を配置する構成となっているが、より多く配置しそれぞれ糸を緩める量を変化させてもかまわない。
【００６２】
なお、本実施の形態において、伸延装置３２は糸巻き部３２Ｃが巻き取っていた糸３２Ｂを緩める際に上下の糸巻き部３２Ｃで異なる量だけ糸３２Ｂを緩めることで風向変更部１８を曲げる構成であったが、風向変更部１８の硬さを方向によって変え、力をかけない状態で自然と曲がる構成とし、上下の糸巻き部３２Ｃで糸３２Ｂを緩める量を変えない構成としても良い。
【００６３】
なお、本実施の形態において、伸延装置３２は動力部３２Ａと糸３２Ｂと糸巻き部３２Ｃによって構成されているが、動力部３２Ａと糸巻き部３２Ｃを用いず、糸３２Ｂを排気風１５の熱によって軟らかくなる材料で構成し、排気風１５がダクト１７に入ると、排気風１５の熱によって糸３２Ｂが軟らかくなり、折りたたまれていた風向変更部１８が伸びようとする力が、糸３２Ｂの縮んでいようとする力に勝り、風向変更部１８が伸延する構成としてもかまわない。
【００６４】
なお、本実施の形態において、伸延装置３２は動力部３２Ａと糸３２Ｂと糸巻き部３２Ｃによって構成されているが、図８に示した、ダクト１７の他の構成例の全体図のように、流出口２０に排気風受け止め部３２Ｄを設け、排気風１５を排気風受け止め部３２Ｄで受け、その力でダクト１７を伸延する構成としてもかまわない。
【００６５】
なお、本実施の形態において、伸延装置３２は排気風１５を利用して駆動したが、別に駆動源を配置してもかまわない。
【００６６】
（実施の形態５）
図９は本発明の第５の実施の形態におけるプロジェクタ装置のダクト１７の断面図を示すものである。
【００６７】
なお、ダクト１７以外の構成は第１の実施の形態と同様であるので、その詳細な説明を省略するものである。
【００６８】
図９において、風向変更部１８はダクト１７が曲がり回転機構２５を有する構成となっている。ダクト１７の内部にはプロジェクタ装置本体１０の内部に設置された電動送風機１３Ａとは別に電動送風機１３Ｂが配置されている。また、ダクト１７の内部には消音手段３４が配置されている。
【００６９】
以上のように構成されたプロジェクタ装置について、以下その動作、作用を説明する。
【００７０】
プロジェクタ装置を起動すると、排気風１５が排気口１６から排気される。排気風１５は、風向変更部１８により向きを変える。また、ダクト１７内部に配置された電動送風機１３Ｂが動作し、ダクト１７を設置しない場合よりも多くの排気風１５を流す。排気口１６より排気風１５と共にプロジェクタ装置本体１０から出される騒音は、主に排気風１５と共にダクト１７を通じて周囲へと伝わろうとするため、ダクト１７の内部に配置された消音手段３４によって吸収される。
【００７１】
これらにより、排気風１５の風向が変更可能となり、電動送風機１３Ｂによってより多くの冷却風１２が流れ排熱能力も高くなる。また、消音手段３４によって騒音も低減されるため、高い排熱能力を得つつ周囲でより快適に作業を行うことができる。
【００７２】
なお、本実施の形態において、消音手段３４はダクト１７と一体の構成となっているが、消音手段３４をダクト１７とは別の部品で構成し取り外しを可能としても良い。
【００７３】
（実施の形態６）
図１０は本発明の第６の実施の形態におけるプロジェクタ装置のダクト１７の断面図を示すものである。
【００７４】
なお、ダクト１７以外の構成は第１の実施の形態と同様であるので、その詳細な説明を省略するものである。
【００７５】
図１０において、風向変更部１８はダクト１７を蛇腹状にし風路を曲げることで構成されている。ダクト１７の内部には排気風冷却手段３５として金属製の放熱板３７が配置されている。放熱板３７はダクト１７の内部から外部まで貫通して配置されており、放熱板３７はプロジェクタ装置本体１０の内部の本体冷却用放熱板３６とも接続されている。
【００７６】
以上のように構成されたプロジェクタ装置について、以下その動作、作用を説明する。
【００７７】
プロジェクタ装置を起動すると、排気風１５が排気口１６から排気される。排気風１５は、風向変更部１８により向きを変える。また、ダクト１７内部では排気風１５により放熱板３７が暖められ、ダクト１７の外部では放熱板３７が外気により冷やされるため、伝熱により排気風１５の熱がダクト１７の外部へと伝わる。放熱板３５Ａは本体冷却用放熱板３６とも接続されており、冷却風１３によりプロジェクタ装置本体１０の内部の冷却を行う他に金属の伝熱による冷却も行っている。
【００７８】
これらにより、ダクト１７を配置することで、排気風１５の風向が変更可能となり、排気風冷却手段３５によって排熱能力も高くなる。そして、排熱能力が高くなるため、より少ない排気風１５でプロジェクタ装置本体１０を冷却することが可能となり、排気風を減らしさらに人や物のない方向へと排気するため、周囲でより快適に作業を行うことができる。
【００７９】
上記した各実施の形態１〜６における構成は、必要に応じて適宜組み合わせて使用することができるものであり、実施の形態そのものの構成に限られるものではない。
【産業上の利用可能性】
【００８０】
以上のように本発明にかかるプロジェクタ装置によれば、排気風を人に当たらない方向へ排気でき、周囲で快適に作業を行うことができため、人の近くで動作し排気が必要な機器に利用可能である。
【図面の簡単な説明】
【００８１】
【図１】本発明の実施の形態１におけるプロジェクタ装置の全体構成図
【図２】同、ダクトの他の構成例の断面図
【図３】本発明の実施の形態２におけるプロジェクタ装置のダクトの断面図
【図４】同、ダクトの他の構成例の断面図
【図５】（ａ）本発明の実施の形態３におけるプロジェクタ装置のダクトの断面図（ｂ）同、ダクト収納時のダクトの断面図
【図６】（ａ）同、ダクトの他の構成例の断面図（ｂ）同、ダクト収納時のダクトの断面図
【図７】本発明の実施の形態４におけるプロジェクタ装置のダクトの断面図
【図８】同、ダクトの他の構成例の断面図
【図９】本発明の実施の形態５におけるプロジェクタ装置のダクトの断面図
【図１０】本発明の実施の形態６におけるプロジェクタ装置のダクトの断面図
【図１１】従来のプロジェクタ装置の構成を示す全体構成図
【符号の説明】
【００８２】
１０  プロジェクタ装置本体
１１  光学ユニット
１２  冷却風
１３  電動送風機
１４  吸気口
１５  排気風
１６  排気口
１７  ダクト
１８  風向変更部
２６  駆動装置
３２  伸延装置
３４  消音手段
３５  排気風冷却手段
【図１】
2006184407.tif 000003
【図２】
2006184407.tif 000004
【図３】
2006184407.tif 000005
【図４】
2006184407.tif 000006
【図５】
2006184407.tif 000007
【図６】
2006184407.tif 000008
【図７】
2006184407.tif 000009
【図８】
2006184407.tif 000010
【図９】
2006184407.tif 000011
【図１０】
2006184407.tif 000012
【図１１】
2006184407.tif 000013